(57)【特許請求の範囲】
【請求項１】
画像を入力する画像入力部と、符号化および復号化を行う符号化復号化部と、前記画像入力部から入力した画像データを蓄積する画像メモリと、前記符号化部により符号化された画像の送信を行う通信部と、を有する画像通信装置において、
前記符号化復号化部により圧縮符号化した画像のデータ量と、前記通信部に設定された伝送速度とから送信時間を算出する送信時間算出手段と、
画像の疎密を判定する疎密判定処理手段と、
前記送信時間算出手段で算出された送信時間と予め設定した通信時間との大小を比較し、前記算出された送信時間が設定時間より小さいときは前記通信部に送信処理を行わせる送信時間判断手段と、
前記送信時間判断手段により前記算出された送信時間が設定時間より大きいときに、前記粗密判定処理手段による判定結果に基づき前記画像入力部から入力した画像が細かい画像か否かを判断する画像判断手段と、
前記画像判断手段により画像が細かくないと判断された場合に、再度前記送信時間判断手段による処理を実行させるため、圧縮率が高くなる方向にパラメータに変更する符号化パラメータ変更手段と、
前記画像判断手段により画像が細かいと判断されたときに、前記圧縮符号化した画像の圧縮率を算出し、予め設定した圧縮率との大小を比較し、画像の圧縮率が設定値より大きい場合は前記通信部による送信処理を行わせ、小さい場合は前記符号化パラメータ変更手段によるパラメータ変更処理を行わせる圧縮率判断手段と、を備えたことを特徴とする画像通信装置。
【請求項２】
前記疎密判定部が検出する疎密は、画像に含まれている文字の大きさおよび／または線の密度であることを特徴とする請求項１に記載の画像通信装置。
【請求項３】
前記符号化復号化部が、前記符号化パラメータ変更手段からの指示により、圧縮率を高くした再符号化を行う場合に前記画像入力部から読み取ったカラー画像から、モノクロ多値の圧縮画像またはモノクロ二値の圧縮画像を生成するモノクロ画像生成手段を備えたことを特徴とする請求項１または２に記載の画像通信装置。
【請求項４】
通信部は、前記モノクロ画像生成手段が生成したモノクロ画像を送信することを特徴とする請求項３に記載の画像通信装置。
【請求項５】
前記符号化復号化部が、前記符号化パラメータ変更手段からの指示により、圧縮率を高くした再符号化を行う場合において、前記通信部が画像送信を行ったときは、送信した画像についての情報を操作表示部に表示し、または自機に備えたプリンタから出力する通知手段を備えたことを特徴とする請求項１から４の何れか１つに記載の画像通信装置。
【請求項６】
前記符号化復号化部が、前記符号化パラメータ変更手段からの指示により、圧縮率を高くした再符号化を行う場合において、前記通信部が画像送信を行ったときは、画像送信を行った旨、および前記画像入力部から読み取ったカラー画像および送信した画像を自機に備えた操作表示部に表示し、または自機に備えたプリンタから出力する通知手段を備えたことを特徴とする請求項１から４の何れか１つに記載の画像通信装置。
【発明の詳細な説明】
【０００１】
【発明の属する技術分野】
本発明は、カラー画像および／またはモノクロ多値画像の画像通信機能を有するファクシミリ装置等の画像通信装置に関し、デフォルトの圧縮率よりも高い圧縮率で符号化することができ、また、デフォルトの圧縮率よりも高い圧縮率で符号化した場合であっても送信者に送信した画像状態を表示することができる画像通信装置に関する。
【０００２】
【従来の技術】
従来から電話回線を使用して画像通信を行う装置としてファクシミリ装置が使用されている。近年、ファクシミリ装置においても、従来のモノクロ２値画像の通信だけでなく、カラー画像もしくは多値画像（多階調画像）の通信が可能なものが普及しつつある。
【０００３】
ファクシミリ装置でカラー画像もしくは多階調画像の通信を行う場合、従来のモノクロ２値の画像に比べるとデータ量が大幅に増加するため、それに応じて通信時間も長くなる。従来のモノクロのファクシミリ装置では、送信画像のデータ量は画素数に依存するため経験的（目視により）に通信時間が長いか否かを直感できる。しかし、カラー画像の場合、データ量が大幅に増加する上に画像の種類や圧縮率によって符号化後のデータ量がどの程度になるかがわかりにくい。このため、ユーザーは、送信時間や通信料金について予測が難しく、不安を感じつつファクシミリ送信をしなければならない。
【０００４】
特開平６−２３３１３９号公報記載の技術では、スキャナーで読み取った画像を符号化し、データ量から送信時間を算出しユーザーが予め設定した時間との比較を行い、ユーザーの設定値に対して著しく長くなる場合は、符号化パラメータを調整し適切な通信時間に収まるようにデータ量を調整する（圧縮率を変更する）ことで、送信時間を短くしている。
【０００５】
【発明が解決しようとする課題】
ところで、上記公報記載の技術では、送信画像のデータ量のみに着目して一定のデータ量以下になるように符号化パラメータの調整を行っている。この場合、通信時間を一定値に抑えることは可能であるが、圧縮率と画像品質はトレードオフの関係にあるため、圧縮率を高くするとそれに応じて画像品質は劣化したものとなる。このため、送信者（ユーザー）は相手先にどのような画質で画像が送信されたかが不明であり、想定していた画像品質よりも大幅に送信画質の品質が劣化している状況も生じる。この場合、相手側で、画像の判読できないという事態が生じることがある。
【０００６】
本発明の目的は、デフォルトの圧縮率よりも高い圧縮率で符号化することができ、また、デフォルトの圧縮率よりも高い圧縮率で符号化した場合であっても送信者に送信した画像状態を表示することができる画像通信装置を提供することにある。
【０００７】
【課題を解決するための手段】
本願発明は、画像を入力する画像入力部と、符号化および復号化を行う符号化復号化部と、前記画像入力部から入力した画像データを蓄積する画像メモリと、前記符号化部により符号化された画像の送信を行う通信部と、を有する画像通信装置において、前記符号化復号化部により圧縮符号化した画像のデータ量と、前記通信部に設定された伝送速度とから送信時間を算出する送信時間算出手段と、画像の疎密を判定する疎密判定処理手段と、前記送信時間算出手段で算出された送信時間と予め設定した通信時間との大小を比較し、前記算出された送信時間が設定時間より小さいときは前記通信部に送信処理を行わせる送信時間判断手段と、前記送信時間判断手段により前記算出された送信時間が設定時間より大きいときに、前記粗密判定処理手段による判定結果に基づき前記画像入力部から入力した画像が細かい画像か否かを判断する画像判断手段と、前記画像判断手段により画像が細かくないと判断された場合に、再度前記送信時間判断手段による処理を実行させるため、圧縮率が高くなる方向にパラメータに変更する符号化パラメータ変更手段と、前記画像判断手段により画像が細かいと判断されたときに、前記圧縮符号化した画像の圧縮率を算出し、予め設定した圧縮率との大小を比較し、画像の圧縮率が設定値より大きい場合は前記通信部による送信処理を行わせ、小さい場合は前記符号化パラメータ変更手段によるパラメータ変更処理を行わせる圧縮率判断手段と、を備えたことを特徴とする。
【０００８】
本発明の画像通信装置では、画像中の文字の大きさや描かれている線の密度検出し、細かい文字が含まれるような画像に対しては、圧縮率の変更範囲に制限を設定することで、通信時間と画質の両方のバランスを保った状態での通信を行うことができる。すなわち、送信開始時に画像のデータ量が多いか少ないかの情報、および伝送速度から送信時間を予測し、予め設定しておいた時間以下におさまるように圧縮率を変更して符号化し送信する。これにより、送信時間が予想以上に延びることを防止することができる。この際に、細かい文字が含まれるような画像に対しては、圧縮率の変更範囲を制限することで画質の劣化を避けることが可能となる。
【０００９】
また、ユーザーが予期しないような劣化した画像が送信されることを防止することができ、通信時間と画質の両方のバランスを保った状態での通信が可能となる。
【００１０】
また、本発明の画像通信装置では、前記符号化復号化部が、前記再符号化指示手段からの指示により、圧縮率を高くした再符号化を行う場合に前記画像入力部から読み取ったカラー画像から、モノクロ多値の圧縮画像またはモノクロ二値の圧縮画像を生成するモノクロ画像生成手段を備えることができる。この場合、前記通信部は、モノクロ画像を送信先に送信することができる。これにより、デフォルト設定値の圧縮率より高い圧縮率で符号化する際に、グレースケールの画像に変換し、再符号化することで、通信時間と画質の両方のバランスを保った状態での通信を可能とする。すなわち、カラー画像にくらべて圧縮率が低いモノクロ画像を送信することになるので、相手側が文字等を判読しにくいという不具合を低減することができる。このモノクロ画像は、高圧縮率のカラー画像とともに送信することができる。モノクロの画像送信については、従来のファクシミリと同じ方式であるので、新たに機能を追加することなく、容易に実現できる。
【００１１】
また、モノクロ画像生成手段が生成したモノクロ画像を自機に備えた操作表示部に表示し、または自機に備えたプリンタから出力する通知手段を備えることもできる。
【００１２】
本発明の画像通信装置では、前記符号化復号化部が、前記再符号化指示手段からの指示により、圧縮率を高くした再符号化を行う場合において、前記通信部が画像送信を行ったときは、送信した画像についての情報を操作表示部に表示し、または自機に備えたプリンタから出力する通知手段を備えることができる。また、前記符号化復号化部が、前記再符号化指示手段からの指示により、圧縮率を高くした再符号化を行う場合において、前記通信部が画像送信を行ったときは、画像送信を行った旨、および前記画像入力部から読み取ったカラー画像および送信した画像を自機に備えた操作表示部に表示し、または自機に備えたプリンタから出力する通知手段を備えることもできる。これにより、ユーザーは再送の必要性を判断することができる。
【００１３】
【発明の実施の形態】
以下、本発明の実施形態を図面に基づいて説明する。図１は、本発明の一実施例に関る通信装置をファクシミリに適用した場合のブロック構成図を示している。画像入力装置（本発明における画像入力部）１０１は、原稿の画像データを読み取り、多値のデジタル画像データに変換するスキャナー装置である。ファクシミリ装置では、一般にスキャナー装置が用いられるが、画像入力装置としてはデジタルカメラであってもよい。なお、本発明の画像通信装置は、ファクシミリ装置に限定されず、画像を通信回線、ディスクドライブ等を介してメモリ等に格納しこれを送信できる機能を持つ電子機器（いわゆる、ファクシミリ複合機等）であってもよい。
【００１４】
画像出力装置１０２は、画像を記録紙上に出力するプロッタあるいはプリンタで、一般にレーザプリンタやインクジェット方式のプリンタが使用される。
【００１５】
符号化復号化部１０３は、一定の符号化法を用いて、符号化処理および復号化処理を行う。送信する場合は画像データを符号化し圧縮処理を行う。符号化方式としては、従来のＭＨ、ＭＲ、ＭＭＲ方式等のランレングス符号化とＪＰＥＧの符号化方式を有するものとする。また、ＪＰＥＧ方式で画像データを符号化する際に、符号化パラメータを変更することで、符号化した画像データの圧縮率を変更することが可能な構成とする。また、受信時には圧縮された画像データを復号化し伸張処理を行う。
【００１６】
画像メモリ１０４は、画像データを蓄積するメモリで、送信時には画像入力装置１０１で読み取った画像データや符号化復号化部１０３で圧縮された画像データを蓄積し、受信時は符号化復号化部１０３で伸張された画像データを蓄積する。
【００１７】
送信時間算出部１０５は、符号化された画像データのデータ量を計数した値と、伝送速度から送信に要する通信時間を算出する。
【００１８】
モデム１０６は、画情報の送受信と伝送制御のための手順信号の送受信を行う。網制御装置（モデム１０６とともに本発明の通信部が構成される）１０７は、電話回線が接続され、発着信の際に所定の回線制御を行う。
【００１９】
操作表示部１０８は、オペレータが各種操作を行うためのスイッチ、キーボード等の入力装置と、装置の動作状態等を表示するＬＣＤやＬＥＤによる表示手段からなる。この操作表示部１０８は、たとえば電話番号の入力や、圧縮率の指定、各種設定の変更に使用される。
【００２０】
疎密判定部１０９は、符号化複合化部１０３での符号化の結果から画像中の文字や線画の疎密を判別する。システム制御部１１０は、マイクロコンピュータとメモリおよび入出力回路で構成され、メモリ内部に蓄積されたプログラムを使用して上記各部の制御を行う。システムバス１１１は、上記各部が相互間で各種制御信号やデータをやりとりする信号ラインである。システム制御１１０は、本発明の圧縮率選択手段、再符号化指示手段、モノクロ画像生成手段、通知手段（通知プログラムの実行手段）としても機能することができる。
【００２１】
以上の符号１０１〜１１１で示した各部により本発明の実施例であるファクシミリ装置が構成される。
【００２２】
図２は、図１に示したファクシミリ装置１の送信手順例を示すフローチャートである。送信処理は、原稿をスキャンしてメモリに蓄積後に発信するもので、１ページの原稿を送信する場合について説明する。
【００２３】
まず、画像入力装置１０１で原稿を読み取り（Ａ１）、符号化復号化部１０３で所定の符号パラメータを使用して圧縮符号化を行う（Ａ２）。符号化された画像データは、通信時間算出部１０４でデータ量を計数し（Ａ３）、データ量と伝送速度から通信時間を算出する（Ａ４）。また、画像入力装置１０１で原稿を読み取った画像は、２値化処理し（Ａ５）、疎密判定部１０９で、画像が細かい文字や線画を含む画像であるかの判別を行う（Ａ６）。
【００２４】
疎密判定部１０９での判定を以下に詳しく説明する。まず、一定のスレッシュレベルを用いて２値化処理を行い（Ａ５）、モノクロ２値画像に変換した画像から、１ライン内の白から黒、黒から白になる変化点の個数と黒画素の個数を計数し黒画素数に対する比率を算出する。大きな文字や、いわゆるべた画像の領域では、黒画素数に対して変化点の個数が小さい。逆に小さな文字が含まれる領域では、黒画素数に対して変化点の個数が大きくなる。次にこの結果をラインごとに算出し、変化点の多いラインの集計することで、画像に小さな文字や細かい線画が含まれているかを判別することができる。ここでは、変化点に着目した方法を例示したが、他の判別方法を使用する構成としてもよい。
【００２５】
次に、予め設定しておいた通信時間と送信時間算出部で算出した通信時間の値の比較を行う（Ａ７）。通信時間が設定値以下の場合は、送信処理に移行する（Ａ１１）。送信処理の手順については通常のファクシミリ送信の手順に従うものとする。送信時間算出部で算出した値が、設定値に対して一定以上の割合になった場合には、符号化パラメータを変更して、再符号化する処理に移る。
【００２６】
まず、疎密判定部１０９の結果から、画像が細かい画像であるかによって、処理を切り替える（Ａ８）。細かい画像でない場合は、符号化パラメータを画像の圧縮率が高くなるパラメータに変更して（Ａ９）、圧縮符号化を行うステップＡ２に戻る。細かい画像と判別された場合は、ステップＡ３で求めたデータ量から圧縮率を算出し、予め設定しておいた圧縮率の範囲との比較を行う（Ａ１０）。求めた圧縮率が設定値より大きい場合は、これ以上の圧縮を行うと画質の劣化が大きくなるため、現在の符号化データを使用して送信処理を行う。求めた圧縮率が設定値より小さい場合は、符号化パラメータを画像の圧縮率が高くなるパラメータに変更して（Ａ９）、圧縮符号化を行う（Ａ２）ステップに戻り、変更したパラメータで再圧縮処を行う。再圧縮された画像データは、通信時間算出部１０４で再度データ量を計数し（Ａ３）、データ量と伝送速度から通信時間を算出する（Ａ４）。この後、通信時間が設定値以下になるまで符号化パラメータを変更する処理を繰り返す（Ａ９）。
【００２７】
通信時間が設定値以下の場合は、送信処理に移行し（Ａ１１）、通常のファクシミリ送信の手順に従い送信処理を終了する。
【００２８】
図３は、ファクシミリ装置１の他の送信手順例を示すフローチャートである。送信処理は、原稿をスキャンしてメモリに蓄積後に発信するもので、１ページの原稿を送信する場合について説明する。
【００２９】
まず、画像入力装置１０１で原稿を読み取り（Ｂ１）、符号化復号化部１０３で所定の符号パラメータを使用して圧縮符号化を行う（Ｂ２）。符号化された画像データは、通信時間算出部１０４でデータ量を計数し（Ｂ３）、データ量と伝送速度から通信時間を算出する（Ｂ４）。また、画像入力装置１０１で原稿を読み取った画像は、２値化処理し（Ｂ５）、疎密判定部１０９で、画像が細かい文字や線画を含む画像であるかの判別を行う（Ｂ６）。
【００３０】
次に、予め設定しておいた通信時間と送信時間算出部で算出した通信時間の値の比較を行う（Ｂ７）。通信時間が設定値以下の場合は、送信処理に移行する（Ｂ１０）。送信処理の手順については通常のファクシミリ送信の手順に従うものとする。
【００３１】
送信時間算出部で算出した通信時間が、設定値に対して一定以上の割合になった場合には、まず、読み込んだカラー画像をグレースケールの画像に変換する（Ｂ８）。つぎに、符号化パラメータを画像の圧縮率が高くなるパラメータに変更して（Ｂ９）、圧縮符号化を行う（Ｂ２）ステップに戻る。再圧縮された画像データは、通信時間算出部１０４で再度データ量を計数し（Ｂ３）、データ量と伝送速度から通信時間を算出する（Ｂ４）。
【００３２】
通信時間が設定値以下になるまで符号化パラメータを変更する処理を繰り返す（Ｂ９）。通信時間が設定値以下の場合は、送信処理に移行し（Ｂ１０）、通常のファクシミリ送信の手順に従い送信処理を終了する。
【００３３】
図４は、ファクシミリ装置１を用いた他の送信手順例を示すフローチャートである。送信処理は、原稿をスキャンしてメモリに蓄積後に発信するもので、１ページの原稿を送信する場合について説明する。
【００３４】
まず、画像入力装置１０１で原稿を読み取り（Ｃ１）、符号化復号化部１０３で所定の符号パラメータを使用して圧縮符号化を行う（Ｃ２）。符号化された画像データは、通信時間算出部１０４でデータ量を計数し（Ｃ３）、データ量と伝送速度から通信時間を算出する（Ｃ４）。
【００３５】
また、画像入力装置１０１で原稿を読み取った画像は、２値化処理し（Ｃ５）、符号化復号化部１０３で従来のファクシミリで使用されているＭＨやＭＲのハフマン符号化方式を使用して、符号化を行い画像メモリ１０４に蓄積するとともに符号化疎密判定部１０９で、画像が細かい文字や線画を含む画像であるかの判別を行う（Ｃ６）。
【００３６】
次に、予め設定しておいた通信時間と送信時間算出部で算出した通信時間の値の比較を行う（Ｃ７）。通信時間が設定値以下の場合は、送信処理に移行する（Ｃ１０）。送信処理の手順については通常のファクシミリ送信の手順に従うものとする。
【００３７】
送信時間算出部で算出した通信時間が、設定値に対して一定以上の割合になった場合には、符号化パラメータを画像の圧縮率が高くなるパラメータに変更して（Ｃ８）、圧縮符号化を行う（Ｃ２）ステップに戻る。再圧縮された画像データは、通信時間算出部１０４で再度データ量を計数し（Ｃ３）、データ量と伝送速度から通信時間を算出する（Ｃ４）。
【００３８】
通信時間が設定値以下になるまで符号化パラメータを変更する処理を繰り返す（Ｃ８）。通信時間が設定値以下の場合は、送信処理に移行し、通常のファクシミリ送信の手順に従いカラー画像の送信処理を行う（Ｃ１０）。
【００３９】
続いて、カラー画像の送信時の圧縮率と予め設定した圧縮率のスレッシュ値を比較し、設定値より圧縮率が高い場合は、カラー画像の送信に続けて、Ｃ１２で作成した２値画像の画像データの送信を行い（Ｃ１１）、終了する。カラー画像の送信時の圧縮率が予め設定した圧縮率より圧縮率が低い場合は、カラー画像のみを送信して（Ｃ１０）、終了する。
【００４０】
ファクシミリ装置１は、送信時に圧縮率が予め設定しておいた圧縮率より高い圧縮率を使用して符号化された場合には、交信終了時に、圧縮率を高くして送信した旨を操作表示部または記録紙に出力することでユーザー通知することができる。
【００４１】
図５は、本発明のファクシミリ装置１の他の送信手順例を示すフローチャートである。送信処理は、原稿をスキャンしてメモリに蓄積後に発信するもので、１ページの原稿を送信する場合について説明する。
【００４２】
この送信手順例でも、図２〜図４で示した手順と同様、画像入力装置１０１で原稿を読み取り（Ｄ１）、符号化復号化部１０３で所定の符号パラメータを使用して圧縮符号化を行う（Ｄ２）。符号化された画像データは、通信時間算出部１０４でデータ量を計数し（Ｄ３）、データ量と伝送速度から通信時間を算出する（Ｄ４）。
【００４３】
次に、予め設定しておいた通信時間と送信時間算出部で算出した通信時間の値の比較を行う（Ｄ５）。送信時間算出部で算出した値が、設定値に対して一定以上の割合になった場合には、符号化パラメータを画像の圧縮率が高くなるパラメータに変更して（Ｄ８）、圧縮符号化を行う（Ｄ２）ステップに戻る。
【００４４】
再圧縮された画像データは、通信時間算出部１０４でデータ量を計数し（Ｄ３）、データ量と伝送速度から通信時間を算出する（Ｄ４）。通信時間が設定値以下の場合は、送信処理に移行する（Ｄ７）。送信処理の手順については通常のファクシミリ送信の手順に従うものとする。
【００４５】
変更された画像の圧縮率が予め設定されている値との比較を行い（Ｄ８）、圧縮率が設定値より大きな値となった場合は、通信結果レポートを出力して終了する（Ｄ９）。圧縮率を変更した場合でも圧縮率が設定値の範囲内であった場合は、レポートは出力せずに終了するものとする。
【００４６】
ここで出力する通信結果レポートには、圧縮率を変更して送信したことを示す文面を記載するものとする。また、ユーザーへの通知方法は、操作表示部または記録紙に出力するだけでなく、同時に警告音や音声を使用して通知する構成としてもよい。
【００４７】
ファクシミリ装置１は、デフォルト設定値の圧縮率より高い圧縮率で符号化した画像データを送信した場合、交信中または更新終了後に、相手先に送信した画像データを復号化し、自機の画像出力装置を使用して記録紙上に出力することでユーザー通知することができる。この場合には、ファクシミリ装置１は、デフォルト設定値の圧縮率より高い圧縮率で符号化された画像データを送信処理する際に、同時に符号化復号化部１０４を使用して、送信する画像データを復号化し画像データを生成し、画像メモリ１０３に蓄積する。これにより、画像メモリ１０３に蓄積される画像データは相手先のファクシミリで出力される画像と同等の品質の画像となる。図４に示した手順で送信処理を行った結果、画像の圧縮率が予め設定しておいた値より高い圧縮率で符号化された場合に通信結果レポートの出力を行う（Ｂ１０）。ここで出力する通信結果レポートには、圧縮率を変更して送信したことを示す文面を記載するとともに、画像メモリ１０３に蓄積した画像データを出力する。
【００４８】
通信結果レポートは、画像出力装置１０２でカラー出力が可能な場合には、カラー画像で出力してもよいし、自機に出力する画像はユーザーが画像劣化の程度の判別ができればよいのでモノクロ画像で出力する構成としてもよい。また、自機に出力する画像はユーザーが画像劣化の程度の判別ができればよいので、送信画像の一部分を出力する構成としてもよい。
【００４９】
また、通信結果レポートは、図６に示すように読み込んだ画像データと、相手先に送信したデータを並べて表示する構成としてもよい。さらに、複数ページの送信を行った場合は、設定した圧縮率より高い圧縮率を使用した場合のページのみを出力する構成としてもよいし、図７に示すように各ページの画像の一部分を１ページに集約してサムネイル形式で出力する構成としてもよい。さらに、ユーザーへの通知方法は、送信画像を記録紙上に出力した通信結果レポートを出力するだけでなく、同時に警告音や音声を使用して通知する構成としてもよい。
【００５０】
【発明の効果】
本発明によれば、送信時間と、画像の疎密を考慮して決定した圧縮率で圧縮した画像を送信するようにしているので、通信時間と画質との両方のバランスを保った状態での良好な通信が行える、という格別の作用効果を奏する。
【００５１】
また、本発明では、発明ではデフォルト設定値の圧縮率より高い圧縮率で符号化する際に、グレースケールの画像に変換し、再符号化することで、通信時間と画質の両方のバランスを保った状態での通信が可能となる。
【００５２】
さらに、本発明では、デフォルト設定値の圧縮率より高い圧縮率で符号化する際に、モノクロ２値の画像を生成し、カラー画像に付加して送信することで、相手側で判読できないという不具合を解消することができる。
【００５３】
さらに、デフォルト設定値の圧縮率より高い圧縮率で符号化した画像データを送信した場合、その旨を操作表示部または記録紙に出力することでユーザー通知することで、再送の必要性を警告することもできる。この場合、デフォルト設定値の圧縮率より高い圧縮率を使用して送信したことが、ユーザー通知されるため、ユーザーは通知された情報から再送が必要か否かを判断することもできる。
【図面の簡単な説明】
【図１】本発明の画像通信装置のブロック構成図である。
【図２】図１に示したファクシミリ装置の送信手順例を示すフローチャートである。
【図３】図１に示したファクシミリ装置の他の送信手順例を示すフローチャートである。
【図４】図１に示したファクシミリ装置の他の送信手順例を示すフローチャートである。
【図５】図１に示したファクシミリ装置の他の送信手順例を示すフローチャートである。
【図６】本発明で使用される通信結果レポートの一例を示す図である。
【図７】本発明で使用される通信結果レポートの他の例を示す図である。
【符号の説明】
１０１  画像入力装置
１０２  画像出力装置
１０３  符号化復号化部
１０４  画像メモリ
１０５  送信時間算出部
１０６  モデム
１０７  網制御装置
１０８  操作表示部
１０９  疎密判定部
１１０  システム制御部
１１１  システムバス
【図１】
0003983592.tif 000002
【図２】
0003983592.tif 000003
【図３】
0003983592.tif 000004
【図４】
0003983592.tif 000005
【図５】
0003983592.tif 000006
【図６】
0003983592.tif 000007
【図７】
0003983592.tif 000008